【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
１０〜４０モルパーセントのエチレンと、ペルフルオロ（アルキルビニルエーテル）、ペルフルオロ（アルキルアルケニルエーテル）およびペルフルオロ（アルコキシアルケニルエーテル）からなる群から選択される２０〜４０モルパーセントのペルフルオロエーテルと、３２〜６０モルパーセントのテトラフルオロエチレンと、ｉ）ペルフルオロアルキルエチレンおよびｉｉ）ペルフルオロアルコキシエチレンからなる群から選択される０．１〜１５モルパーセントの硬化部位モノマーとの共重合単位を含み、ただし前記ペルフルオロエーテルがペルフルオロ（アルキルビニルエーテル）である場合、前記硬化部位モノマーが臭素またはヨウ素原子を含有しないことを特徴とする特殊フルオロエラストマー。
【請求項２】
Ａ）１０〜４０モルパーセントのエチレンと、ペルフルオロ（アルキルビニルエーテル）、ペルフルオロ（アルキルアルケニルエーテル）およびペルフルオロ（アルコキシアルケニルエーテル）からなる群から選択される２０〜４０モルパーセントのペルフルオロエーテルと、３２〜６０モルパーセントのテトラフルオロエチレンと、ｉ）ペルフルオロアルキルエチレンおよびｉｉ）ペルフルオロアルコキシエチレンからなる群から選択される０．１〜１５モルパーセントの硬化部位モノマーとの共重合単位を含む特殊フルオロエラストマーと、
Ｂ）フルオロエラストマー１００重量部当たり０．１〜１０重量部のポリヒドロキシ硬化剤と、
Ｃ）フルオロエラストマー１００重量部当たり１〜２０重量部の酸受容体と、
Ｄ）フルオロエラストマー１００重量部当たり０．１〜１０重量部の加硫促進剤と
を含むことを特徴とする硬化性フルオロエラストマー組成物。
【請求項３】
Ａ）１０〜４０モルパーセントのエチレンと、ペルフルオロ（アルキルビニルエーテル）、ペルフルオロ（アルキルアルケニルエーテル）およびペルフルオロ（アルコキシアルケニルエーテル）からなる群から選択される２０〜４０モルパーセントのペルフルオロエーテルと、３２〜６０モルパーセントのテトラフルオロエチレンと、ｉ）ペルフルオロアルキルエチレンおよびｉｉ）ペルフルオロアルコキシエチレンからなる群から選択される０．１〜１５モルパーセントの硬化部位モノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）酸受容体と
を含むことを特徴とする硬化性フルオロエラストマー組成物。
【手続補正２】
【補正対象書類名】明細書
【補正対象項目名】００６９
【補正方法】変更
【補正の内容】
【００６９】
ポリマー１をポリマーＡの代わりに用いることを除き、本発明の硬化性組成物を実施例１の方法によって製造する。得られた組成物（試料６）は、１７７℃でＭＤＲ試験において硬化する。
以下に、本発明の好ましい態様を示す。
１．  １０〜４０モルパーセントのエチレンと、ペルフルオロ（アルキルビニルエーテル）、ペルフルオロ（アルキルアルケニルエーテル）およびペルフルオロ（アルコキシアルケニルエーテル）からなる群から選択される２０〜４０モルパーセントのペルフルオロエーテルと、３２〜６０モルパーセントのテトラフルオロエチレンと、ｉ）ペルフルオロアルキルエチレンおよびｉｉ）ペルフルオロアルコキシエチレンからなる群から選択される０．１〜１５モルパーセントの硬化部位モノマーとの共重合単位を含み、ただし前記ペルフルオロエーテルがペルフルオロ（アルキルビニルエーテル）である場合、前記硬化部位モノマーが臭素またはヨウ素原子を含有しなくてもよいことを特徴とする特殊フルオロエラストマー。
２．  エチレンの前記共重合単位が２０〜４０モルパーセントの量で存在し、ペルフルオロエーテルの前記共重合単位が２０〜３０モルパーセントの量で存在し、テトラフルオロエチレンの前記共重合単位が４０〜５０モルパーセントの量で存在し、硬化部位モノマーの前記共重合単位が２〜１０モルパーセントの量で存在することを特徴とする１．に記載の特殊フルオロエラストマー。
３．  前記ペルフルオロエーテルがペルフルオロ（メチルビニルエーテル）であることを特徴とする２．に記載の特殊フルオロエラストマー。
４．  Ａ）１０〜４０モルパーセントのエチレンと、ペルフルオロ（アルキルビニルエーテル）、ペルフルオロ（アルキルアルケニルエーテル）およびペルフルオロ（アルコキシアルケニルエーテル）からなる群から選択される２０〜４０モルパーセントのペルフルオロエーテルと、３２〜６０モルパーセントのテトラフルオロエチレンと、ｉ）ペルフルオロアルキルエチレンおよびｉｉ）ペルフルオロアルコキシエチレンからなる群から選択される０．１〜１５モルパーセントの硬化部位モノマーとの共重合単位を含む特殊フルオロエラストマーと、
Ｂ）フルオロエラストマー１００重量部当たり０．１〜１０重量部のポリヒドロキシ硬化剤と、
Ｃ）フルオロエラストマー１００重量部当たり１〜２０重量部の酸受容体と、
Ｄ）フルオロエラストマー１００重量部当たり０．１〜１０重量部の加硫促進剤と
を含むことを特徴とする硬化性フルオロエラストマー組成物。
５．  前記硬化部位モノマーが４−ブロモ−３，３，４，４−テトラフルオロブテン−１であることを特徴とする４．に記載の硬化性フルオロエラストマー組成物。
６．  前記特殊フルオロエラストマー中の前記ペルフルオロエーテルがペルフルオロ（メチルビニルエーテル）であることを特徴とする４．に記載の硬化性フルオロエラストマー組成物。
７．  前記ポリヒドロキシ硬化剤Ｂが、ｉ）ジヒドロキシ−、トリヒドロキシ−、およびテトラヒドロキシ−ベンゼン、−ナフタレン、および−アントラセンと、
ｉｉ）式：
【化１】
2005524728.tif 000001
（式中、Ａが安定した二価基であり、ｘが０または１であり、ｎが１または２である）のビスフェノールと、
ｉｉｉ）前記ビスフェノールのジアルカリ塩と、ｉｖ）前記ビスフェノールの第四級アンモニウムおよびホスホニウム塩と、ｖ）前記ビスフェノールの第三級スルホニウム塩と、ｖｉ）フェノールのエステルとからなる群から選択される硬化剤であることを特徴とする４．に記載の硬化性フルオロエラストマー組成物。
８．  前記加硫促進剤Ｄが第四級アンモニウム塩、第三級スルホニウム塩および第四級ホスホニウム塩からなる群から選択されることを特徴とする４．に記載の硬化性組成物。
９．  前記硬化促進剤Ｄが、ｉ）前記ポリヒドロキシ架橋剤（Ｂ）の第四級アンモニウム塩、ｉｉ）前記ポリヒドロキシ架橋剤（Ｂ）の第四級ホスホニウム塩およびｉｉｉ）前記ポリヒドロキシ架橋剤の第三級スルホニウム塩からなる群から選択されることを特徴とする８．に記載の硬化性組成物。
１０．  Ａ）１０〜４０モルパーセントのエチレンと、ペルフルオロ（アルキルビニルエーテル）、ペルフルオロ（アルキルアルケニルエーテル）およびペルフルオロ（アルコキシアルケニルエーテル）からなる群から選択される２０〜４０モルパーセントのペルフルオロエーテルと、３２〜６０モルパーセントのテトラフルオロエチレンと、ｉ）ペルフルオロアルキルエチレンおよびｉｉ）ペルフルオロアルコキシエチレンからなる群から選択される０．１〜１５モルパーセントの硬化部位モノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）酸受容体と
を含むことを特徴とする硬化性フルオロエラストマー組成物。
１１．  ビスフェノールの前記第四級アンモニウム塩が、ａ）テトラプロピルアンモニウム／ビスフェノールＡＦ塩、ｂ）メチルトリブチルアンモニウム／ビスフェノールＡＦ塩、およびｃ）テトラブチルアンモニウム／ビスフェノールＡＦ塩からなる群から選択されることを特徴とする１０．に記載の硬化性フルオロエラストマー組成物。
１２．  ビスフェノールの前記第四級アンモニウム塩が第四級アンモニウム化合物とビスフェノールＡＦとのモル比１：１の塩であることを特徴とする１０．に記載の硬化性フルオロエラストマー組成物。
１３．  Ｅ）フルオロエラストマー１００重量部当たり０．２〜７重量部の有機ペルオキシドと、Ｆ）フルオロエラストマー１００重量部当たり０．１〜１０重量部の多官能性助剤とをさらに含むことを特徴とする４．〜１２．のいずれか一項に記載の硬化性フルオロエラストマー組成物。
１４．  前記特殊フルオロエラストマーＡ）と異なった第２の特殊フルオロエラストマーをさらに含むことを特徴とする４．〜１２．のいずれか一項に記載の硬化性フルオロエラストマー組成物。